(57)【要約】この２モード移動電話端末（Ｔ）は、を無線グローバル電気通信ネットワーク（ＰＬＭＮ）に接続することを意図された第１のインターフェース（ＧＩ）と、無線ローカルエリア電気通信ネットワーク（ＷＬＡＮ）に接続することを意図された第２のインターフェース（ＷＩ）と、この端末が無線ローカルエリア電気通信ネットワーク（ＷＬＡＮ）に接続されていることを示す信号（Ｓ１）を第２のインターフェース（ＷＩ）から受信し、次いで、第１のインターフェース（ＧＩ）にその第１のインターフェース（ＧＩ）の無線伝送を完全に使用不可にすることができる制御信号（Ｓ２）を送信するための制御ユニット（ＣＵ）と、を備える。
2010521849.tif 000002
【特許請求の範囲】
【請求項１】
無線グローバル電気通信ネットワーク（ＰＬＭＮ）に接続することを意図された第１のインターフェース（ＧＩ）と、無線ローカルエリア電気通信ネットワーク（ＷＬＡＮ）に接続することを意図された第２のインターフェース（ＷＩ）とを備える２モード移動電話端末であって、
該端末が無線ローカルエリア電気通信ネットワーク（ＷＬＡＮ）に接続されていることを示す信号（Ｓ１）を前記第２のインターフェース（ＷＩ）から受信し、前記第１のインターフェース（ＧＩ）の無線伝送を完全に使用不可にすることができる制御信号（Ｓ２）を前記第１のインターフェース（ＧＩ）に送信するために制御手段（ＣＵ）を備えることを特徴とする２モード移動電話端末。
【発明の詳細な説明】
【技術分野】
【０００１】
本発明は、２つの無線電気通信ネットワーク、例えば、ＧＳＭネットワークなどの無線グローバル電気通信ネットワーク、及びＷｉＦｉ又はブルートゥース・ネットワークなどの無線ローカルエリア電気通信ネットワークにおいて、二者択一的に機能することができるのでそう呼ばれる「２モード」移動電話端末に関する。
【背景技術】
【０００２】
２モード移動電話端末は２つの無線インターフェースを有し、これらの無線インターフェースはそれぞれ、この端末が無線グローバル電気通信ネットワーク及び／又は無線ローカルエリア電気通信ネットワークにそれぞれ接続することができるようにし、無線ローカルエリア電気通信ネットワークは、一般に、プライベートネットワーク、すなわち企業ネットワーク、病院のネットワーク、空港のネットワークなどに組み込まれる。グローバルネットワークは、全国レベルでカバレッジを提供するが、通信には費用がかかる。ローカルエリアネットワークは、上記のカバレッジに含まれるより限られたカバレッジを提供するが、ボイス・オーバ・インターネット・プロトコル（ＶｏＩＰ）タイプの通話には費用がかからない。電話通信のためには、このローカルエリアネットワークの使用の方が、その低コストのために、好まれるに違いない。移動２モード端末がローカルエリアネットワークの無線カバレッジエリアに入る、又はそれを出るときに、電話通信を無線グローバル電気通信ネットワークから無線ローカルエリア電気通信ネットワークに、及びその逆に、自動的に移すことを可能にする方法が知られている。
【０００３】
本発明は、特に病院での使用により適した２モード端末に関する。一般に、無線グローバル電気通信ネットワークに接続することができる移動電話端末の使用は、これらの装置からの無線周波数放射が医用電子装置を混乱させるのに十分なパワーを有する可能性があるので、病院内では禁止されている。一方、無線ローカルエリア電気通信ネットワークに接続することができる移動電話端末の使用は、これらの装置の無線周波数放射がずっと低いパワーを有するので、許可されている。
【０００４】
病院の従業員のうちの何人かは、２モード移動電話端末を持っている可能性がある。これらの従業員は、患者を訪問するときなど病院の外にいるときには、無線グローバル電気通信ネットワークを使用し、病院の中にいるときには、無線ローカルエリア電気通信ネットワークを使用する。
【０００５】
無線グローバル電気通信ネットワーク用の無線インターフェースによるいかなる無線周波数伝送をも回避するためには、このインターフェースを完全に使用不可にする必要がある。無線インターフェースは、単にスタンバイ・モードに置かれている場合は、電話通信がないにもかかわらず、ときどきシグナリング・データを伝送する。これは、病院では許されない。従来の２モード端末では、この完全に使用不可にする操作は、ユーザが病院の構内に入るたびに、ユーザによって手動で行われる。２モード端末を使用する病院の従業員のためにこの使用不可にする操作を自動化することが望ましい。
【０００６】
移動２モード端末がローカルエリアネットワークの無線カバレッジエリアに入る、又はそれを出るときに、電話通信を無線グローバル電気通信ネットワークから無線ローカルエリア電気通信ネットワークに、及びその逆に、自動的に移すことを可能にする方法が知られている。これらの方法の欠点は、それらが無線グローバル電気通信ネットワーク用の無線インターフェースを完全には使用不可にしないことである。このインターフェースは、依然としてスタンバイ・モードのままであり、その結果として、病院では許されない、シグナリング・データをときどき伝送する。
【０００７】
文書、米国特許出願公開第２００５／０１０７０７７号は、病院に特に設置されることができ、（例えば）２モードＷｉＦｉ−ＧＳＭ端末を無線グローバル電気通信ネットワークに接続するために使用される無線インターフェース、すなわちＧＳＭインターフェース、を完全に使用不可にするための命令をその端末に送信するために、その端末との例えばＷｉＦｉ接続などの接続を確立するための手段を備える局について記述している。この公報の欠点は、設置コストにつながる、当該のローカルエリアネットワークに対する修正を必要とすることである。
【先行技術文献】
【特許文献】
【０００８】
【特許文献１】米国特許出願公開第２００５／０１０７０７７号
【発明の概要】
【発明が解決しようとする課題】
【０００９】
本発明の目的は、ローカルエリアネットワークにおいて追加の設備を必要とすることなく無線グローバル電気通信ネットワーク用の端末の無線インターフェースを完全かつ自動的に使用不可にすることを可能にする端末を開示することである。
【課題を解決するための手段】
【００１０】
本発明の対象は、無線グローバル電気通信ネットワークに接続することを意図された第１のインターフェースと、無線ローカルエリア電気通信ネットワークに接続することを意図された第２のインターフェースとを備える２モード電話端末であって、この端末が無線ローカルエリア電気通信ネットワークに接続されていることを示す信号を第２のインターフェースから受信し、次いで、第１のインターフェースにその第１のインターフェースの無線伝送を完全に使用不可にすることができる制御信号を送信するための制御手段を備えることを特徴とする２モード電話端末である。
【００１１】
それによって特徴づけられる端末は、無線グローバル電気通信ネットワーク用の無線インターフェースの無線伝送を使用不可にすることを制御するための手段をそれ自体の中に備えるので、ローカルエリアネットワークにおいて追加の装備を必要とすることなく無線グローバル電気通信ネットワーク用のその無線インターフェースを完全かつ自動的に使用不可にすることを可能にする。
【図面の簡単な説明】
【００１２】
【図１】本発明の端末の例示的実施形態を表す図である。
【発明を実施するための形態】
【００１３】
本発明は、以下の説明及び添付の唯一の図面の助けを借りて、よりよく理解され、他の特徴が明らかになるであろう。この図は、本発明の端末の例示的実施形態Ｔを示し、たとえその端末がまたＧＳＭネットワークなどの無線グローバル電気通信ネットワークＰＬＭＮの無線カバレッジエリアの中にあっても、その端末がＷｉＦｉネットワークなどの無線ローカルエリア電気通信ネットワークＷＬＡＮの無線カバレッジエリアに入るときのその端末の動作を示す。
【００１４】
この２モード移動電話端末Ｔは、
−  ＧＳＭインターフェースＧＩ、
−  ＷｉＦｉインターフェースＷＩ、
−  インターフェースＷＩ及びＧＩに接続された制御ユニットＣＵ
を備える。
【００１５】
端末Ｔは、無線ローカルエリア電気通信ネットワークＷＬＡＮの無線カバレッジエリアに入るときはいつでも、そのＷＬＡＮネットワークにアクセスするための権利を有すると理解され、従来のやり方で無線アクセス・ポイントＢＳ１を介してそのＷＬＡＮネットワークに接続する。次いで、インターフェースＷＩは、この端末Ｔがローカルエリア電気通信ネットワークに接続されていることを示す信号Ｓ１を制御ユニットＣＵに送信する。次いで、制御ユニットＣＵは、インターフェースＧＩに、そのインターフェースＧＩの無線伝送を完全に使用不可にすることができる制御信号Ｓ２を送信する。
【００１６】
逆に、端末Ｔが無線ローカルエリアネットワークＷＬＡＮの無線カバレッジエリアから出るときには、インターフェースＷＩは、制御ユニットＣＵに、この端末Ｔがローカルエリア電気通信ネットワークに接続されていることを示す信号Ｓ１を送信することを停止する。次いで、制御ユニットＣＵは、インターフェースＧ１に、そのインターフェースＧＩの無線伝送を完全に使用不可にすることができる制御信号Ｓ２を送信することを停止する。次いで、インターフェースＧＩは、従来のやり方で、ＰＬＭＮネットワークに端末Ｔを接続するための無線信号を伝送することができる。
【００１７】
もちろん、本発明の範囲は、ＧＳＭ／ＷｉＦｉ２モード端末に限定されない。本発明は、ＵＭＴＳなどの他のタイプのグローバルネットワークに、及びブルートゥースなどの他のタイプのローカルエリアネットワークに、適合させることができる。本発明の端末は、無線ローカルエリア電気通信ネットワークの無線カバレッジが存在し、無線グローバルネットワークに接続することができる無線インターフェースを機能させることが許されない他のいかなる場所においても使用されることができる。
【図１】
2010521849.tif 000003
【国際調査報告】
2010521849.tif 000004
2010521849.tif 000005
2010521849.tif 000006
2010521849.tif 000007